(57)【要約】【課題】筆記具として使用するときは軽くし、ペン回しをするときには両端の重さを増してペン回しをやりやすくするとともに、両端の重さを使用者の好みに合わせて設定できるようにしたペン回し用筆記具を提供すること。【解決手段】ペン本体１と、該ペン本体１の両端に着脱可能なキャップ体２とからなる、以下の要件を備えることを特徴とするペン回し用筆記具Ａ。（イ）上記キャップ体２はキャップパーツ５と、錘パーツ６と、衝撃吸収パーツ７とから構成され、錘パーツ６と、衝撃吸収パーツ７とはキャップパーツ５に着脱可能であること（ロ）上記錘パーツ６は複数の錘パーツで構成されていること【選択図】図２
0003138097.tif 000002
【実用新案登録請求の範囲】
【請求項１】
ペン本体と、該ペン本体の両端に着脱可能なキャップ体とからなる、以下の要件を備えることを特徴とするペン回し用筆記具。
（イ）上記キャップ体はキャップパーツと、錘パーツと、衝撃吸収パーツとから構成され、錘パーツと、衝撃吸収パーツとはキャップパーツに着脱可能であること
（ロ）上記錘パーツは複数の錘パーツで構成されていること
【請求項２】
以下の要件を備えることを特徴とする、請求項１記載のペン回し用筆記具。
（イ）前記キャップパーツの先端には嵌合軸を突出して形成したこと
（ロ）前記錘パーツはリング状に形成したこと
（ハ）前記衝撃吸収パーツには上記嵌合軸の先端に嵌合する嵌合凹部を形成したこと
（ニ）上記嵌合軸には錘パーツを挿通したのち、衝撃吸収パーツに形成されている嵌合凹部に嵌合させることにより、キャップパーツに錘パーツを固定できるようにしたこと
【請求項３】
前記ペン本体は両端が同一形状で、該ペン本体にはペン回し時に指をセッティングするポイントを明示するマークを設けた、請求項１記載のペン回し用筆記具。
【考案の詳細な説明】
【技術分野】
【０００１】
本考案は、ペン回し用筆記具、詳しくは筆記具を指で回して遊ぶために好適な構成のペン回し用筆記具に関するものである。
【背景技術】
【０００２】
従来、文具店などで市販されているペンを購入し、このペンを手で回すペン回し遊びが広く普及しているが、この遊びに好適なペンとして回転ペンが提案されている（例えば、特許文献１）。この回転ペンは、ペンの先端部を球状にして実際に筆記具として使用するときは球状の先端部からペン先を突出させて字を書くことができるようにしたもので、ペン回しをするときはペン先を先端部内に没入させ安全性を高めるようにしたものである。
【特許文献１】特開２００７−１５２８３３号公報
【考案の開示】
【考案が解決しようとする課題】
【０００３】
本考案が解決しようとする問題点は、上述の回転ペンは、両端部を金属などで構成しペンを回したときの遠心力が大きくなるようにしペンを回しやすいようにしているが、その分ペン全体の重量が増し、筆記具として使用する場合はその重さが邪魔になるし、筆記具全体の重量は一定のため、使用者の好みで重さを変えることができない問題があった。
【０００４】
本考案は、上記問題点を解決し、筆記具として使用するときは軽くし、ペン回しをするときには両端の重さを増してペン回しをやりやすくするとともに、両端の重さを使用者の好みに合わせて設定できるようにしたペン回し用筆記具を提供することを課題とする。
【課題を解決するための手段】
【０００５】
前記課題を解決するために本考案に係るペン回し用筆記具は、ペン本体と、該ペン本体の両端に着脱可能なキャップ体とからなる、以下の要件を備えることを特徴とする。
（イ）上記キャップ体はキャップパーツと、錘パーツと、衝撃吸収パーツとから構成され、錘パーツと、衝撃吸収パーツとはキャップパーツに着脱可能であること
（ロ）上記錘パーツは複数の錘パーツで構成されていること
【０００６】
なお、前記ペン回し用筆記具は以下の要件を備えることが好ましい。
（イ）前記キャップパーツの先端には嵌合軸を突出して形成したこと
（ロ）前記錘パーツはリング状に形成したこと
（ハ）前記衝撃吸収パーツには上記嵌合軸の先端に嵌合する嵌合凹部を形成したこと
（ニ）上記嵌合軸には錘パーツを挿通したのち、衝撃吸収パーツに形成されている嵌合凹部に嵌合させることにより、キャップパーツに錘パーツを固定できるようにしたこと
【０００７】
そして、前記ペン本体は両端が同一形状で、該ペン本体にはペン回し時に指をセッティングするポイントを明示するマークを設けるようにしてもよい。
【考案の効果】
【０００８】
請求項１の考案によれば、実際に筆記を行うときはキャップ体を外すので、ペンの重量を軽減することができるし、ペン回しをする際はキャップ体を取り付けるので両端の重量が増し、ペン回しがしやすくなるし錘パーツの数を選定することにより自分に最適な重さでペン回しをすることができる。しかも、衝撃吸収パーツを設けたのでペン回しに失敗して床面に落下したときも衝撃音を最小に抑えることができ、周りを気にすることなくペン回しを楽しむことができるし、回転時に先端が手指に当たっても痛い思いをするトラブルも回避できる。
【０００９】
請求項２の考案によれば、キャップパーツの嵌合軸に錘パーツを挿通し、嵌合軸の先端に衝撃吸収パーツに形成されている嵌合凹部を嵌合させる簡単な操作でキャップ体を組み上げることができるので、錘パーツの数の変更も容易に行なうことができる。
【００１０】
請求項３の考案によれば、初心者がペン回しをする際に、ペンのどの部分に指をセッティングすればよいのかが明確になるので、ペン回しの上達を促進させることができる。
【考案を実施するための最良の形態】
【００１１】
図１（ａ）は、本考案に係るペン回し用筆記具Ａの斜視図を示し、このペン回し用筆記具Ａは、図１（ｂ）に示すように、ペン本体１にキャップ体２を着脱できるようにしたもので、キャップ体２の装着時にはペン先を保護することができるとともに、ペン回しをして遊ぶことができるようにしたものである。
【００１２】
ペン本体１はボールペンで構成され、両端をほぼ同一形状にするとともに、初心者がペン回しをする際に、ペンのどの部分に指をセッティングすればよいのかを目安にすることができるマークａが設けられ、両端にボールペンのペン先３が突出するようになっているものである。なお、一方の端部は擬似ペンで形状はペン先であっても実際に筆記ができないものであってもよい。
【００１３】
キャップ体２は、ペン先３を保護するための機能に加え、ペン回しをする際に両端の重量を重くして回転時の遠心力を大きくしてペン回しがやりやすいようにするためのもので、このキャップ体２は、図２に示すように、キャップパーツ５と錘パーツ６と衝撃吸収パーツ７とで構成され、キャップパーツ５はペン本体１の先端を嵌め込むための嵌合孔１０が後端から先端に向かって形成され、先端には嵌合軸１１が突出して形成されている。この嵌合軸１１は錘パーツ６に形成された貫通孔６ａ貫通させることができる太さに形成されるとともに、衝撃吸収パーツ７に形成されている嵌合凹部７ａに嵌合し、嵌合時には簡単に抜けないようになっている。
【００１４】
錘パーツ６は金属（例えば、真鍮、鉄など）で中央に上記嵌合軸１１を貫通させる貫通孔６ａが形成されて環状になっており、複数（本考案では３個）の錘パーツ６で構成され、取り付け個数によってキャップ体２全体の重さが調整できるようになっている。
【００１５】
衝撃吸収パーツ７はゴムなどの弾性を有する素材で円柱状に形成され、後端から先端に向かって嵌合凹部７ｂが形成され、この嵌合凹部７ｂに上記嵌合軸１１の先端を嵌め込むことによりキャップパーツ５の先端に衝撃吸収パーツ７が固定できるようになっており、嵌合軸１１に所定の数の錘パーツ６を取り付けた後、嵌合軸１１の先端に衝撃吸収パーツ７を嵌め込むことにより、図１（ｂ）に示すような、キャップ体２を構成することができる。
【００１６】
上記構成のペン回し用筆記具Ａによれば、錘パーツ６の個数を選択し、キャップパーツ５の嵌合軸１１に選択した数の錘パーツ６を取り付け、先端に衝撃吸収パーツ７を嵌め込んでキャップ体２を構成し、図１（ｂ）に示すように、ペン本体１の両端にキャップ体２を嵌め合わせて、図１（ａ）に示すような、ペン回し用筆記具Ａを組み上げる。
【００１７】
このようにして組み上げたペン回し用筆記具Ａは、ペン本体１の中心を示すマークａを目印に二本の指で挟んで、図３に示すようにペン回しをすることができる。
【００１８】
このペン回し用筆記具Ａはキャップ体２の先端に衝撃吸収パーツ７が取り付けてあるので、ペン回しに失敗して床に落下させたとしても、衝撃吸収パーツ７が衝撃を吸収して大きな音が出ないので落下させることを気にせずにペン回しにチャレンジすることができる。
【００１９】
また、回転時にペン先が手指に当たって痛い思いをするようなトラブルも回避することができる。
【図面の簡単な説明】
【００２０】
【図１】（ａ）（ｂ）は本考案に係るペン回し用筆記具の斜視図及びペンからキャップを外した状態の斜視図
【図２】ペン回し用筆記具の構成を説明する分解斜視図
【図３】ペン回し用筆記具のペン回し状態の説明図
【符号の説明】
【００２１】
１    ペン本体
２    キャップ体
３    ペン先
５    キャップパーツ
６    錘パーツ
７    衝撃吸収パーツ
Ａ    ペン回し用筆記具
【図１】
0003138097.tif 000003
【図２】
0003138097.tif 000004
【図３】
0003138097.tif 000005